【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
所定の遊技を行った結果として遊技者に遊技結果価値を付与可能であるとともに、電源投入時に電源断直前の内容が保持されている保持データにもとづいて遊技状態を復帰させる遊技状態復帰制御を行う遊技機であって、
遊技に供される遊技装置を制御するための遊技装置制御手段が搭載された遊技装置制御基板と、遊技装置制御基板とは別個に設けられ遊技装置制御基板で使用される各電圧を生成する電源基板とを備え、
前記電源基板には、遊技機で使用される電源電圧の電圧低下を検出するための第１の電源監視手段が設けられ、
前記遊技装置制御手段は、遊技装置制御マイクロコンピュータと、遊技装置制御マイクロコンピュータが制御を行う際に発生する変動データを記憶するとともに電源断時からバックアップ電源から電力供給されている期間は電源断直前の記憶内容を保持する揮発性記憶手段と、前記第１の電源監視手段と同一の電源電圧を監視し、検出電圧が前記第１の電源監視手段の検出電圧よりも低く、前記遊技装置制御マイクロコンピュータが動作する電圧値であるときに電源電圧の電圧低下を検出する第２の電源監視手段とを含み、
前記電源基板の第１の電源監視手段の検出出力は、前記遊技装置制御手段の遊技装置制御マイクロコンピュータに接続され、
前記遊技装置制御マイクロコンピュータは、前記第１の電源監視手段からの検出出力の入力に応じて前記揮発性記憶手段の記憶内容が正常であるか否かを診断するためのチェックデータを生成して当該揮発性記憶手段に保存する処理を含む電源断時処理を実行する電源断時処理実行手段を有し、
前記遊技装置制御手段は、前記第２の電源監視手段からの検出出力の入力に応じて前記遊技装置制御マイクロコンピュータをシステムリセットするリセット手段を有する
ことを特徴とする遊技機。
【請求項２】
所定の遊技を行った結果として遊技者に遊技結果価値を付与可能であるとともに、電源投入時に電源断直前の内容が保持されている保持データにもとづいて遊技状態を復帰させる遊技状態復帰制御を行う遊技機であって、
遊技に供される遊技装置を制御するための遊技装置制御手段が搭載された遊技装置制御基板と、遊技装置制御基板とは別個に設けられ遊技装置制御基板で使用される各電圧を生成する電源基板とを備え、
前記電源基板には、遊技機で使用される第１の電源電圧の電圧低下を検出するための第１の電源監視手段が設けられ、
前記遊技装置制御手段は、遊技装置制御マイクロコンピュータと、遊技装置制御マイクロコンピュータが制御を行う際に発生する変動データを記憶するとともに電源断時からバックアップ電源から電力供給されている期間は電源断直前の記憶内容を保持する揮発性記憶手段と、前記第１の電源監視手段が監視している電源電圧よりも低い第２の電源電圧を監視することによって、前記第１の電源監視手段が電圧低下を検出する時期よりも後であって前記遊技装置制御マイクロコンピュータが動作する電圧値であるときに電源電圧の電圧低下を検出する第２の電源監視手段とを含み、
前記電源基板の第１の電源監視手段の検出出力は、前記遊技装置制御手段の遊技装置制御マイクロコンピュータに接続され、
前記遊技装置制御マイクロコンピュータは、前記第１の電源監視手段からの検出出力の入力に応じて前記揮発性記憶手段の記憶内容が正常であるか否かを診断するためのチェックデータを生成して当該揮発性記憶手段に保存する処理を含む電源断時処理を実行する電源断時処理実行手段を有し、
前記遊技装置制御手段は、前記第２の電源監視手段からの検出出力の入力に応じて前記遊技装置制御マイクロコンピュータをシステムリセットするリセット手段を有する
ことを特徴とする遊技機。
【請求項３】
第１の電源監視手段が監視する電源電圧は、交流から直流に変換された直後の第１の電源電圧であり、
前記第１の電源監視手段は、前記第１の電源電圧が所定値に低下すると電源電圧が電圧低下したと判定する
請求項２記載の遊技機。
【請求項４】
第１の電源監視手段の検出出力は遊技装置制御マイクロコンピュータの入力ポート回路に入力され、遊技装置制御マイクロコンピュータは、前記入力ポート回路の状態を監視することによって電源断時処理を実行する決定を行う
請求項１ないし請求項３記載の遊技機。
【請求項５】
遊技機は、遊技に利用するための遊技球を検出するための遊技球検出手段を備え、
遊技装置制御手段が搭載された遊技装置制御基板には前記遊技球検出手段の検出情報を入力するための検出入力手段が設けられ、
第１の電源監視手段の検出出力の入力ポート回路として、前記検出入力手段の入力部と同一の入力部が用いられる
請求項４記載の遊技機。
【請求項６】
第１の電源監視手段からの検出出力は、遊技装置制御マイクロコンピュータの割込端子に入力され、
前記遊技装置制御マイクロコンピュータは、割込端子への入力にもとづいて電源断時処理を実行する
請求項１ないし請求項３記載の遊技機。
【請求項７】
遊技装置制御マイクロコンピュータは、定期的に発生する割込に応じて遊技装置制御処理を実行し、遊技装置制御処理の終了後または開始前に第１の電源監視手段の出力を監視する
請求項１ないし請求項６記載の遊技機。
【請求項８】
電源断時処理には揮発性記憶手段へのアクセスを防止する処理が含まれる
請求項１ないし請求項７記載の遊技機。
【請求項９】
電源断時処理には、揮発性記憶手段へのアクセスを禁止する前にチェックデータを揮発性記憶手段に保存する処理が含まれる
請求項８記載の遊技機。
【手続補正２】
【補正対象書類名】明細書
【補正対象項目名】００１０
【補正方法】変更
【補正の内容】
【００１０】
【課題を解決するための手段】
本発明による遊技機は、所定の遊技を行った結果として遊技者に遊技結果価値を付与可能であるとともに、電源投入時に電源断直前の内容が保持されている保持データにもとづいて遊技状態を復帰させる遊技状態復帰制御を行う遊技機であって、遊技に供される遊技装置を制御するための遊技装置制御手段が搭載された遊技装置制御基板と、遊技装置制御基板とは別個に設けられ遊技装置制御基板で使用される各電圧を生成する電源基板とを備え、電源基板には、遊技機で使用される電源電圧の電圧低下を検出するための第１の電源監視手段が設けられ、遊技装置制御手段は、遊技装置制御マイクロコンピュータと、遊技装置制御マイクロコンピュータが制御を行う際に発生する変動データを記憶するとともに電源断時からバックアップ電源から電力供給されている期間は電源断直前の記憶内容を保持する揮発性記憶手段と、第１の電源監視手段と同一の電源電圧を監視し、検出電圧が前記第１の電源監視手段の検出電圧よりも低く、遊技装置制御マイクロコンピュータが動作する電圧値であるときに電源電圧の電圧低下を検出する第２の電源監視手段とを含み、電源基板の第１の電源監視手段の検出出力は、遊技装置制御手段の遊技装置制御マイクロコンピュータに接続され、遊技装置制御マイクロコンピュータは、第１の電源監視手段からの検出出力の入力に応じて揮発性記憶手段の記憶内容が正常であるか否かを診断するためのチェックデータを生成して当該揮発性記憶手段に保存する処理を含む電源断時処理を実行する電源断時処理実行手段を有し、遊技装置制御手段は、第２の電源監視手段からの検出出力の入力に応じて前記遊技装置制御マイクロコンピュータをシステムリセットするリセット手段を有することを特徴とする。なお、遊技結果価値とは、遊技球の払い出しや、画像式遊技機の場合の得点の加点を示す概念である。


【手続補正３】
【補正対象書類名】明細書
【補正対象項目名】００１１
【補正方法】変更
【補正の内容】
【００１１】
また、本発明による遊技機は、所定の遊技を行った結果として遊技者に遊技結果価値を付与可能であるとともに、電源投入時に電源断直前の内容が保持されている保持データにもとづいて遊技状態を復帰させる遊技状態復帰制御を行う遊技機であって、遊技に供される遊技装置を制御するための遊技装置制御手段が搭載された遊技装置制御基板と、遊技装置制御基板とは別個に設けられ遊技装置制御基板で使用される各電圧を生成する電源基板とを備え、電源基板には、遊技機で使用される第１の電源電圧の電圧低下を検出するための第１の電源監視手段が設けられ、遊技装置制御手段は、遊技装置制御マイクロコンピュータと、遊技装置制御マイクロコンピュータが制御を行う際に発生する変動データを記憶するとともに電源断時からバックアップ電源から電力供給されている期間は電源断直前の記憶内容を保持する揮発性記憶手段と、前記第１の電源監視手段が監視している電源電圧よりも低い第２の電源電圧を監視することによって、第１の電源監視手段が電圧低下を検出する時期よりも後であって遊技装置制御マイクロコンピュータが動作する電圧値であるときに電源電圧の電圧低下を検出する第２の電源監視手段とを含み、電源基板の第１の電源監視手段の検出出力は、遊技装置制御手段の遊技装置制御マイクロコンピュータに接続され、遊技装置制御マイクロコンピュータは、第１の電源監視手段からの検出出力の入力に応じて揮発性記憶手段の記憶内容が正常であるか否かを診断するためのチェックデータを生成して当該揮発性記憶手段に保存する処理を含む電源断時処理を実行する電源断時処理実行手段を有し、遊技装置制御手段は、第２の電源監視手段からの検出出力の入力に応じて遊技装置制御マイクロコンピュータをシステムリセットするリセット手段を有することを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１９
【補正方法】変更
【補正の内容】
【００１９】
電源断時処理には、揮発性記憶手段へのアクセスを禁止する前にチェックデータを揮発性記憶手段に保存する処理が含まれるように構成されていてもよい。


【手続補正６】
【補正対象書類名】明細書
【補正対象項目名】００２０
【補正方法】削除
【補正の内容】
【手続補正７】
【補正対象書類名】明細書
【補正対象項目名】０１４０
【補正方法】変更
【補正の内容】
【０１４０】
【発明の効果】
以上のように、本発明によれば、遊技機を、電源基板には、遊技機で使用される電源電圧の電圧低下を検出するための第１の電源監視手段が設けられ、遊技装置制御手段は、遊技装置制御マイクロコンピュータと、遊技装置制御マイクロコンピュータが制御を行う際に発生する変動データを記憶するとともに電源断時からバックアップ電源から電力供給されている期間は電源断直前の記憶内容を保持する揮発性記憶手段と、第１の電源監視手段と同一の電源電圧を監視し、検出電圧が第１の電源監視手段の検出電圧よりも低く、遊技装置制御マイクロコンピュータが動作する電圧値であるときに電源電圧の電圧低下を検出する第２の電源監視手段とを含み、電源基板の第１の電源監視手段の検出出力は、遊技装置制御手段の遊技装置制御マイクロコンピュータに接続され、遊技装置制御マイクロコンピュータは、第１の電源監視手段からの検出出力の入力に応じて揮発性記憶手段の記憶内容が正常であるか否かを診断するためのチェックデータを生成して当該揮発性記憶手段に保存する処理を含む電源断時処理を実行する電源断時処理実行手段を有し、遊技装置制御手段は、第２の電源監視手段からの検出出力の入力に応じて遊技装置制御マイクロコンピュータをシステムリセットするリセット手段を有することを特徴とするので、電源断時に確実なデータ保存を行うことができ、遊技者に不利益がもたらされることを防止することができるという効果がある。また、同一の電源電圧を監視することから、第１の電圧監視手段が電圧低下信号を出力するタイミングと第２の電圧監視手段が電圧低下信号を出力するタイミングの差である所定期間を所望の値に確実に設定することができる。
【手続補正８】
【補正対象書類名】明細書
【補正対象項目名】０１４１
【補正方法】変更
【補正の内容】
【０１４１】
また、本発明によれば、遊技機を、電源基板には、遊技機の電源が交流から直流に変換された直後の第１の電源電圧の電圧低下を検出するための第１の電源監視手段が設けられ、遊技装置制御手段は、遊技装置制御マイクロコンピュータと、遊技装置制御マイクロコンピュータが制御を行う際に発生する変動データを記憶するとともに電源断時からバックアップ電源から電力供給されている期間は電源断直前の記憶内容を保持する揮発性記憶手段と、第１の電源監視手段が監視している電源電圧よりも低い第２の電源電圧を監視することによって、第１の電源監視手段が電圧低下を検出する時期よりも後であって遊技装置制御マイクロコンピュータが動作する電圧値であるときに電源電圧の電圧低下を検出する第２の電源監視手段とを含み、電源基板の第１の電源監視手段の検出出力は、遊技装置制御手段の遊技装置制御マイクロコンピュータに接続され、遊技装置制御マイクロコンピュータは、第１の電源監視手段からの検出出力の入力に応じて揮発性記憶手段の記憶内容が正常であるか否かを診断するためのチェックデータを生成して当該揮発性記憶手段に保存する処理を含む電源断時処理を実行する電源断時処理実行手段を有し、遊技装置制御手段は、第２の電源監視手段からの検出出力の入力に応じて遊技装置制御マイクロコンピュータをシステムリセットするリセット手段を有する構成としたので、電源断時に確実なデータ保存を行うことができ、遊技者に不利益がもたらされることを防止することができるという効果がある。また、第２の電源監視手段は、確実に第１の電源監視手段よりも遅れて電源電圧の電圧低下を検出することができる。さらに、保存されるデータの信頼性を向上させることができる。
【手続補正９】
【補正対象書類名】明細書
【補正対象項目名】０１４２
【補正方法】削除
【補正の内容】
【手続補正１０】
【補正対象書類名】明細書
【補正対象項目名】０１４９
【補正方法】変更
【補正の内容】
【０１４９】
電源断時処理に揮発性記憶手段へのアクセスを禁止する前にチェックデータを揮発性記憶手段に保存する処理が含まれるように構成されている場合には、保存されるデータの信頼性を向上させることができる。


【手続補正１１】
【補正対象書類名】明細書
【補正対象項目名】０１５０
【補正方法】削除
【補正の内容】